(57)【特許請求の範囲】
【請求項１】
底部と、
上面に載置物が載置される天部と、
上記底部の後側面と上記天部の後側面とを連結する連結部とを備え、
上記底部と上記天部との間には、収納物を収納し得る空間部が形成されているスタンドであって、
上記底部、上記天部及び上記連結部は、一枚板の曲げ加工によって一連に形成され、
上記連結部は、底部側から天部側に向かうに連れて空間部側に傾斜し、
上記底部は、上記天部よりも平面視した際の面積が大きくなるように形成される、
ことを特徴とするスタンド。
【請求項２】
前記天部は、前記載置物の底面の嵌合凹部に９０度回転位相毎に位置決め可能に嵌合されることを特徴とする請求項１に記載のスタンド。
【請求項３】
前記天部は、前記嵌合凹部と連結する連結固定部を有することを特徴とする請求項２に記載のスタンド。
【請求項４】
前記空間部には、ラック部材が組み合わされることを特徴とする請求項１乃至３の何れかに記載のスタンド。
【請求項５】
前記載置物は、給液装置であることを特徴とする請求項１乃至４の何れかに記載のスタンド。
【請求項６】
前記天部には、ウォータサーバを固定するための貫通孔が形成され、
前記空間部にはウォータサーバ用水溶器を収納し得ることを特徴とする請求項１乃至５の何れかに記載のスタンド。
【発明の詳細な説明】
【技術分野】
【０００１】
本発明は、給液装置等の載置物が載置されるスタンドに関する。
【背景技術】
【０００２】
給液装置の一種であるウォータサーバは、例えば、前面の前面凹部の上方に、液体を吐出する吐出口と、レバー、ボタン、タッチパネル等の吐出操作部とが設置されており、ユーザ等によって吐出操作部が操作されると、吐出口からミネラルウォータ等の液体を吐出する（例えば、特許文献１参照）。
【０００３】
このようなウォータサーバは、大別すると、キッチンやリビング等の床に置く床置き型と、キッチンやリビングのカウンタ等の上に置く卓上型とがある。卓上型のウォータサーバは、キッチンやリビングのカウンタ等の上に置くことを踏まえて、床置き型のウォータサーバよりも小型化されており、特に、高さ方向の大きさが床置き型のウォータサーバよりも大幅に小さい。そして、ユーザは、設置状態に応じて何れかを選択して使用する。
【０００４】
しかしながら、ユーザは、卓上型から床置き型又は床置き型から卓上型等、設置状態を変更する場合、卓上型と床置き型とでは高さ方向の大きさが異なるので、例えば、卓上型のウォータサーバを単純に床置きすると、吐出口及び吐出操作部の配置位置が低くて使用し難く、床置き型のウォータサーバを卓上に載置すると、吐出口及び吐出操作部の配置位置が高過ぎて使用し難く、ウォータサーバを交換する必要があり、煩雑であった。
【０００５】
また、ウォータサーバは、ミネラルウォータ等の液体を貯留する液体容器がサーバ本体の例えば上部等に着脱可能に装着されており、この液体容器内の液体を吐出口から吐出している。従って、ウォータサーバは、液体容器内の液体が無くなった場合、液体容器を取り外して、新たな液体容器を取り付ける必要がある。これにより、ユーザは、予備の液体容器を保有すると共に、予備の液体容器を保管する場所を確保する必要がある。
【先行技術文献】
【特許文献】
【０００６】
【特許文献１】特開２０１１−０４６４４６号公報
【発明の概要】
【発明が解決しようとする課題】
【０００７】
本発明は、以上のような課題に鑑みてなされたものであり、載置物を支持しつつ高さをかさ上げすることが可能であって収納物が収納可能なスタンドを提供することを目的とする。
【課題を解決するための手段】
【０００８】
本発明に係るスタンドは、底部と、上面に載置物が載置される天部と、上記底部の後側面と上記天部の後側面とを連結する連結部とを備え、上記底部と上記天部との間には、収納物を収納し得る空間部が形成されているスタンドであって、上記底部、上記天部及び上記連結部は、一枚板の曲げ加工によって一連に形成され、上記連結部は、底部側から天部側に向かうに連れて空間部側に傾斜し、上記底部は、上記天部よりも平面視した際の面積が大きくなるように形成される。
【００１１】
更に、前記天部は、前記載置物の底面の嵌合凹部に９０度回転位相毎に位置決め可能に嵌合されるようにしても良い。
【００１２】
更に、前記天部は、前記嵌合凹部と連結する連結固定部を有するようにしても良い。
【００１５】
更に、前記空間部には、ラック部材が組み合わされるようにしても良い。
【００１６】
更に、前記載置物は、給液装置であるようにしても良い。
【発明の効果】
【００１７】
本発明によれば、極めて簡易且つ簡素な構成であるため、低コストでありながらも美麗な外観を得ることが出来、底部と、天部と、底部と天部とを連結する連結部とを備え、底部と天部との間には空間部が形成されているので、天部上に載置物を載置することで、載置物を支持しつつ高さをかさ上げすることが出来ると共に、底部と天部との間の空間部に収納物を収納することが出来る。
【図面の簡単な説明】
【００１８】
【図１】Ｃ字状のスタンドの使用状態を示した斜視図である。
【図２】Ｃ字状のスタンドを示した斜視図である。
【図３】Ｃ字状のスタンドを示した正面図である。
【図４】Ｃ字状のスタンドを示した右側面図である。
【図５】Ｃ字状のスタンドを示した背面図である。
【図６】Ｃ字状のスタンドを示した左側面図である。
【図７】Ｃ字状のスタンドを示した平面図である。
【図８】Ｃ字状のスタンドを示した底面図である。
【図９】給液装置を示した底面図である。
【図１０】Ｃ字状のスタンドの使用状態を示した側面断面図である。
【図１１】ラック部材の使用状態を示した斜視図である。
【図１２】ラック部材を示した斜視図である。
【図１３】他のラック部材の使用状態を示した斜視図である。
【図１４】他のラック部材を示した斜視図である。
【図１５】湾曲凸部を有するスタンドを示した右側面図である。
【図１６】Ｚ字状のスタンドの使用状態を示した斜視図である。
【図１７】Ｚ字状のスタンドを示した斜視図である。
【図１８】Ｚ字状のスタンドを示した正面図である。
【図１９】Ｚ字状のスタンドを示した右側面図である。
【図２０】Ｚ字状のスタンドを示した背面図である。
【図２１】Ｚ字状のスタンドを示した左側面図である。
【図２２】Ｚ字状のスタンドを示した平面図である。
【図２３】Ｚ字状のスタンドを示した底面図である。
【図２４】Ｓ字状のスタンドの使用状態を示した斜視図である。
【図２５】Ｓ字状のスタンドを示した斜視図である。
【図２６】Ｅ字状のスタンドの使用状態を示した斜視図である。
【図２７】Ｅ字状のスタンドを示した斜視図である。
【図２８】パイプ部材で構成されるスタンドを示した斜視図である。
【発明を実施するための形態】
【００１９】
以下、本発明を適用したスタンドについて、図面を参照しながら詳細に説明する。なお、本発明は、以下の例に限定されるものではなく、本発明の要旨を逸脱しない範囲で任意に変更可能である。
【００２０】
ここでは、本発明を適用したスタンドは、上面に卓上型の給液装置１００を載置させて給液装置１００を支持すると共に高さをかさ上げする給液スタンドとして使用される場合を例に説明していく。
【００２１】
図１〜図８に示すように、第一実施例のスタンド１は、底部２と、天部３と、底部２と天部３とを連結する連結部４とを備えている。このスタンド１は、例えば、側面視略Ｃ字状又はＵ字状に形成されている。更に、スタンド１は、例えば、一枚板の曲げ加工、押し出し加工、鋳造加工等によって、底部２、天部３及び連結部４が一連に形成されており、金属材、合成樹脂材、或いはＧＦＲＰやＣＦＲＰの如くの強化合成樹脂等で形成されている。そして、スタンド１は、例えばキッチンやリビングや寝室等の床に鉛直方向に立てた状態で使用される。
【００２２】
底部２は、平面視略矩形状に形成され、例えばキッチンやリビングや寝室等の床に直接的に配置される。更に、底部２は、天部３よりも平面視した際の面積が大きくなるように形成されている。従って、スタンド１は、傾いても倒れ難い。
【００２３】
天部３は、平面視略正方形状に形成されている。更に、天部３は、底部２の面方向に所定距離離間しつつ底部２と略平行に配置されている。更に、天部３は、上面に給液装置１００が載置される。この際、天部３は、図９及び図１０に示すように、給液装置１００の底面１００ｂに形成された凹状の嵌合凹部１０１に嵌合される。この嵌合凹部１０１は、例えば、天部３と同等又はやや大きな平面視略正方形状の凹部である。従って、天部３及び嵌合凹部１０１が共に正方形状に形成されているので、天部３は、図１に示すように、給液装置１００の前面１００ｃと天部３の前側面３ｃとが一致するように位置決めすることが出来ることに加え、給液装置１００の前面１００ｃと、天部３の右側面３ｅ、後側面３ｄ又は左側面３ｆとが一致するように位置決めすることが出来、給液装置１００を９０度毎に位置決めすることが出来る。
【００２４】
また、天部３は、図２に示すように、略中央部に貫通孔５が少なくとも一つ形成されている。これにより、天部３には、図１０に示すように、給液装置１００が載置されて嵌合凹部１０１と嵌合された後に、ボルト１０２を下方から貫通孔５を介して嵌合凹部１０１に形成されたネジ孔１０３に螺合することで、給液装置１００が固定される。なお、図９及び図１０中では、天部３に貫通孔５が一つしか形成されていないが、これに限定されるものではなく、二つ以上形成されるようにしても良い。また、天部３は、貫通孔５とボルト１０２とネジ孔１０３とで構成される連結固定部によって給液装置１００が固定されることに限定されるものではなく、その他の従来公知の固定部材で構成された連結固定部によって給液装置１００が固定されるようにしても良く、連結固定部の代わりに溶接等で給液装置１００が固定されるようにしても良い。
【００２５】
また、図１に示すように、底部２と天部３とが離間して配置されているので、底部２と天部３との間には、収納物を収納し得る空間部６が形成されている。この空間部６には、例えば、ミネラルウォータ等の液体が充填された給液装置１００の予備の液体容器、調理器具、食器、食材、飲料、調味料、電化製品、本・雑誌等、設置場所に応じた各種の収納物が底部２上に並べられて及び／又は積層又は段積みされて収納される。
【００２６】
連結部４は、図２に示すように、底部２と天部３とを連結する。具体的に、連結部４は、底部２の後側面２ｄと天部３の後側面３ｄとを連結する。更に、連結部４は、鉛直方向に対して底部２側から天部３側に向かうに連れて空間部６側（底部２の前側面２ｃ側）に傾斜している。
【００２７】
以上のような構成を有するスタンド１は、先ず、図１に示すように、底部２が床に直接的に配置されて鉛直方向に立てた状態で、給液装置１００の前面１００ｃと天部３の前側面３ｃとを一致させつつ天部３と給液装置１００の嵌合凹部１０１とを嵌合させて、天部３に給液装置１００を載置させる。次いで、スタンド１は、図１０に示すように、ボルト１０２を天部３の下方から貫通孔５を介して嵌合凹部１０１のネジ孔１０３に螺合することで、天部３に給液装置１００を固定させる。以上のようにして、スタンド１は、卓上型の給液装置１００を天部３に載置させて支持すると共に高さをかさ上げする。
【００２８】
以上のように、スタンド１は、底部２と、天部３と、底部２と天部３とを連結する連結部４とを備えているので、給液装置１００を天部３に載置させて支持すると共に高さをかさ上げすることが出来る。従って、スタンド１は、卓上型の給液装置１００を床置き型として使用しても、ミネラルウォータ等の液体を外部に吐出する給液装置１００の吐出口やレバー等の吐出操作部の位置を従来の床置き型の給液装置とほぼ同じ高さに配置することが出来る。よって、卓上型の給液装置１００は、床置き型としても違和感なく使用することが出来る。その一方で、給液装置１００は、スタンド１を取り外すことで、本来の卓上型としても使用することも出来る。
【００２９】
また、スタンド１は、底部２と天部３との間に収納物を収納し得る空間部６が形成されているので、空間部６に給液装置１００の予備の液体容器等の各種の収納物を収納することが出来、天部３の鉛直方向下方の空間を有効活用することが出来る。更に、スタンド１は、給液装置１００の予備の液体容器の保管場所を確保することが出来る。更に、スタンド１は、底部２上に収納物が載置されるので、収納物を床に直接的に置くよりも、衛生性を向上させることが出来る。更に、スタンド１は、底部２上に収納物が載置されるので、収納物が重しとなり、例えばスタンド１が傾いても倒れ難くすることが出来る。
【００３０】
また、スタンド１は、底部２が天部３よりも平面視した際の面積が大きいので、例えばスタンド１が傾いても倒れ難く、安定して自立することが出来る。
【００３１】
また、スタンド１は、天部３が載置物である給液装置１００の底面１００ｂの嵌合凹部１０１に９０度毎に位置決め可能に嵌合されるので、天部３に給液装置１００を容易に載置することが出来る。更に、スタンド１は、天部３と給液装置１００とを強固に一体化することが出来、給液装置１００が天部３に対してずれ動くことを防止出来る。
【００３２】
また、スタンド１は、天部３と嵌合凹部１０１とがボルト１０２等を含む連結固定部によって連結されるので、スタンド１と給液装置１００とを容易に着脱することが出来る。従って、ユーザは、スタンド１と給液装置１００とを着脱することで、卓上型の給液装置１００を、卓上型として使用することに加え、床置き型としても使用することが出来る。
【００３３】
また、スタンド１は、連結部４が鉛直方向に対して空間部６側（底部２の前側面２ｃ側）に傾斜しているので、連結部４が傾斜していない場合よりも、重心を底部２の前側面２ｃ側にすることが出来、底部２の後側面２ｄ側に倒れ難くすることが出来る。更に、スタンド１は、図１０に示すように、例えば、連結部４の直ぐ後方に壁等の配置物１２０が配置されていても、連結部４が鉛直方向に対して空間部６側に傾斜しているので、連結部４の鉛直方向の上側（天部３側）において連結部４と配置物１２０との間に隙間が形成される。よって、スタンド１は、特に、給液装置１００に内部の熱を排出する排熱口が背面側（天部３の後側面２ｄ側）に形成されている場合、連結部４が傾斜していない場合よりも、この排熱を逃がし易く給液装置１００を効率良く排熱させることが出来る。
【００３４】
また、スタンド１は、底部２、天部３及び連結部４が一連に形成されているので、構成を簡素化して低コスト化を図ることが出来る。
【００３５】
なお、スタンド１は、図１１〜図１４に示すように、空間部６にラック部材７，８を組み合わせるようにしても良い。
【００３６】
ラック部材７は、図１１及び図１２に示すように、略逆Ｕ字状に形成され、一対の側面部７ａ，７ａと、一対の側面部７ａ，７ａを連結する天面部７ｂとを有し、一対の側面部７ａ，７ａと天面部７ｂとが一連に形成されている。更に、ラック部材７は、例えば、ポリエステル、アクリル、ポリスチレン、ＡＳ，エポキシ、ポリカーボネート等の合成樹脂やガラスや金属材等で形成されている。
【００３７】
このようなラック部材７は、空間部６に立てた状態で配置された際に、天面部７ｂがスタンド１の底部２と天部３との間の中途部に配置されるように設けられており、より好ましくは略中間位置に配置されるように設けられている。具体的に、ラック部材７は、一方の側面部７ａを底部２の右側面２ｅと対向させ、他方の側面部７ａを底部２の左側面２ｆと対向させ、天面部７ｂを天部３側に向けて、空間部６内に配置される。この際、ラック部材７は、一対の側面部７ａ，７ａが床に直接的に載置されるようにしても良く、底部２上に載置されるようにしても良い。
【００３８】
従って、スタンド１は、ラック部材７によって空間部６を二つに分けることが出来、スタンド１の底部２上とラック部材７の天面部７ｂ上とにそれぞれ収納物を収納することが出来、より多くの収納物を収納することが出来る。特に積層或いは段積みして収納することが出来ない収納物をより多く収納することが出来る。
【００３９】
なお、ラック部材７を空間部６内に二つ以上並べて及び／又は積層させて配置して、空間部６を二つ以上に分けるようにしても良い。
【００４０】
ラック部材８は、図１３及び図１４示すように、略逆Ｕ字状に形成され、一対の側面部８ａ，８ａと、一対の側面部８ａ，８ａを連結する天面部８ｂと、一対の側面部８ａ，８ａの中途部、より好ましくは中間部に設けられた仕切り部８ｃとを有し、少なくとも一対の側面部８ａ，８ａと天面部８ｂとが一連に形成されている。更に、ラック部材８は、例えば、ポリエステル、アクリル、ポリスチレン、ＡＳ，エポキシ、ポリカーボネート等の合成樹脂や所謂ＦＲＰ、ガラスや金属材等で形成されている。
【００４１】
このようなラック部材８は、例えば空間部６とほぼ同じ大きさに設けられており、一方の側面部８ａを底部２の右側面２ｅと対向させ、他方の側面部８ａを底部２の左側面２ｆと対向させ、天面部８ｂを天部３側に向けて、空間部６内に配置される。この際、ラック部材８は、一対の側面部８ａ，８ａが床に直接的に載置されるようにしても良く、底部２上に載置されるようにしても良い。
【００４２】
従って、スタンド１は、ラック部材８によって空間部６を二つに分けることが出来、スタンド１の底部２上とラック部材８の仕切り部８ｃ上とにそれぞれ収納物を収納することが出来、より多くの収納物を収納することが出来る。特に積層或いは段積みして収納することが出来ない収納物をより多く収納することが出来る。
【００４３】
なお、ラック部材８は、空間部６に立てた状態で配置された際に、天面部８ｂがスタンド１の底部２と天部３との間の中途部に配置されるように設けて、空間部６を三つに分けるようにしても良い。これにより、スタンド１は、スタンド１の底部２上とラック部材８の仕切り部８ｃ上と天面部８ｂ上とにそれぞれ収納物を収納することが出来、より多くの収納物を収納することが出来る。更に、ラック部材７を空間部６内に二つ以上並べて及び／又は積層させて配置して、空間部６を二つ以上に分けるようにしても良い。
【００４４】
なお、スタンド１は、給液装置１００の前面１００ｃと天部３の前側面３ｃとが一致するように、天部３に給液装置１００が載置されることが好ましいが、給液装置１００の前面１００ｃと、天部３の右側面３ｅ、後側面３ｄ又は左側面３ｆとが一致するように、天部３に給液装置１００が載置されるようにしても良い。
【００４５】
また、連結部４は、鉛直方向に対して底部２側から天部３側に向かうに連れて空間部６側（底部２の前側面２ｃ側）に傾斜することに限定されるものではなく、鉛直方向に平行に設けるようにしても良い。更に、この場合、連結部４には、図１５に示すように、空間部６とは反対側に突出した凸状の湾曲凸部９を有するようにしても良い。従って、スタンド１は、例えば、連結部４の直ぐ後方に壁等の配置物１２０が配置されていても、湾曲凸部９よりも鉛直方向の上側（天部３側）において連結部４と配置物１２０との間に隙間が形成される。よって、スタンド１は、給液装置１００に内部の熱を排出する排熱口又は排熱部が背面側（天部３の後側面３ｄ側）に形成されている場合であっても、この排熱を逃がし易く給液装置１００を効率良く排熱させることが出来る。
【００４６】
次に、第二実施例のスタンド１０について説明する。なお、第二実施例のスタンド１０については、第一実施例のスタンド１と同様の構成については同じ符号を付して説明を省略し、異なる構成についてのみ説明する。
【００４７】
図１６〜図２３に示すように、スタンド１０は、底部２と、天部３と、底部２と天部３とを連結する連結部１４とを備えている。このスタンド１０は、例えば、側面視略Ｚ字状に形成されている。更に、スタンド１０は、例えば、底部２、天部３及び連結部１４が一連に形成されている。そして、スタンド１０は、例えばキッチンやリビングや寝室等の床に鉛直方向に立てた状態で使用される。
【００４８】
連結部１４は、図１７に示すように、底部２と天部３とを連結する。具体的に、連結部１４は、底部２の左側面２ｆと天部３の右側面３ｅとを直線的に連結する。
【００４９】
以上のような構成を有するスタンド１０は、上述したスタンド１と同様の作用効果を有することが出来る。
【００５０】
次に、第三実施例のスタンド２０について説明する。なお、第三実施例のスタンド２０については、第一及び第二実施例のスタンド１，１０と同様の構成については同じ符号を付して説明を省略し、異なる構成についてのみ説明する。
【００５１】
図２４及び図２５に示すように、スタンド２０は、底部２と、天部３と、底部２と天部３とを連結する連結部２４とを備えている。このスタンド２０は、例えば、側面視略Ｓ字状に形成されている。更に、スタンド２０は、例えば、底部２、天部３及び連結部２４が一連に形成されている。そして、スタンド２０は、例えばキッチンやリビングや寝室等の床に鉛直方向に立てた状態で使用される。
【００５２】
連結部２４は、図２５に示すように、底部２と天部３とを連結する。具体的に、連結部２４は、底部２の左側面２ｆと天部３の右側面３ｅとを、底部２及び天部３からそれぞれ所定距離離間しつつ底部２及び天部３と略平行な仕切り面２４ａを介して連結する。この仕切り面２４ａは、底部２と天部３との間の中途部に配置され、より好ましくは略中間位置に配置されるようにする。更に、連結部２４は、空間部６を、鉛直方向の天部３側の上部空間部６ａと、底部２側の下部空間部６ｂとの二つに分ける。
【００５３】
以上のような構成を有するスタンド２０は、上述したスタンド１，１０と同様の作用効果を有することが出来る。
【００５４】
また、スタンド２０は、連結部２４の仕切り面２４ａによって空間部６を二つに分けることが出来、底部２上と仕切り面２４ａ上とにそれぞれ収納物を収納することが出来るので、より多くの収納物を収納することが出来る。特に積層或いは段積みして収納することが出来ない収納物をより多く収納することが出来る。
【００５５】
なお、スタンド２０は、例えば、給液装置１００の前面１００ｃと天部３の左側面３ｆとが一致するように、天部３に給液装置１００が載置される場合、換言すると、天部３の右側面３ｅと仕切り面２４ａとを連結する上部連結板２４ｂが給液装置１００の背面１００ｄ側に配置される場合、上部連結板２４ｂを鉛直方向に対して底部２側から天部３側に向かうに連れて上部空間部６ａ側（底部２の左側面２ｆ側）に傾斜するようにしても良い。従って、スタンド２０は、連結部２４が鉛直方向に対して上部空間部６ａ側に傾斜しているので、傾斜していない場合よりも、重心を底部２の左側面２ｆ側にすることが出来、底部２の右側面２ｅ側に倒れ難くすることが出来る。更に、スタンド２０は、例えば、上部連結板２４ｂの直ぐ後方に壁等の配置物１２０が配置されていても、上部連結板２４ｂが鉛直方向に対して、上部空間部６ａ側に傾斜しているので、上部連結板２４ｂと配置物１２０との間に隙間が形成される。よって、スタンド２０は、特に、給液装置１００に内部の熱を排出する排熱口が背面側に形成されている場合、上部連結板２４ｂが傾斜していない場合よりも、この排熱を逃がし易く給液装置１００を効率良く排熱させることが出来る。
【００５６】
更に、スタンド２０は、例えば、給液装置１００の前面１００ｃと天部３の左側面３ｆとが一致するように、天部３に給液装置１００が載置され、上部連結板２４ｂが給液装置１００の背面１００ｄ側に配置される場合、上部連結板２４ｂに、図１５に示すように、上部空間部６ａとは反対側に突出した凸状の湾曲凸部２９を形成するようにしても良い。従って、スタンド２０は、例えば、上部連結板２４ｂの直ぐ後方に壁等の配置物１２０が配置されていても、湾曲凸部２９よりも鉛直方向の上側（天部３側）において上部連結板２４ｂと配置物１２０との間に隙間が形成される。よって、スタンド２０は、給液装置１００に内部の熱を排出する排熱口又は排熱部が背面側に形成されている場合であっても、この排熱を逃がし易く給液装置１００を効率良く排熱させることが出来る。
【００５７】
次に、第四実施例のスタンド３０について説明する。なお、第四実施例のスタンド３０については、第一乃至第三実施例のスタンド１，１０，２０と同様の構成については同じ符号を付して説明を省略し、異なる構成についてのみ説明する。
【００５８】
図２６及び図２７に示すように、スタンド３０は、底部２と、天部３と、底部２と天部３とを連結する連結部３４とを備えている。このスタンド３０は、例えば、側面視略Ｅ字状又はΣ字状に形成されている。更に、スタンド３０は、例えば、底部２、天部３及び連結部３４が一連に形成されている。そして、スタンド３０は、例えばキッチンやリビングや寝室等の床に鉛直方向に立てた状態で使用される。
【００５９】
連結部３４は、図２７に示すように、底部２と天部３とを連結する。具体的に、連結部３４は、底部２の後側面２ｄと天部３の後側面３ｄとを、底部２及び天部３からそれぞれ所定距離離間しつつ底部２及び天部３と略平行な側面視略Ｕ字状の仕切り部３４ｃを介して連結する。この仕切り部３４ｃは、底部２と天部３との間の中途部に配置され、より好ましくは略中間位置に配置されるようにする。更に、連結部３４は、空間部６を、鉛直方向の天部３側の上部空間部６ａと、底部２側の下部空間部６ｂとの二つに分ける。更に、連結部３４は、鉛直方向に対して底部２側から天部３側に向かうに連れて空間部６側（底部２の前側面２ｃ側）に傾斜している。
【００６０】
以上のような構成を有するスタンド３０は、上述したスタンド１，１０と同様の作用効果を有することが出来る。
【００６１】
また、スタンド３０は、連結部３４の仕切り部３４ｃによって空間部６を二つに分けることが出来、底部２上と仕切り部３４ｃ上とにそれぞれ収納物を収納することが出来るので、より多くの収納物を収納することが出来る。特に積層或いは段積みして収納することが出来ない収納物をより多く収納することが出来る。
【００６２】
なお、連結部３４は、鉛直方向に対して底部２側から天部３側に向かうに連れて空間部６側（底部２の前側面２ｃ側）に傾斜することに限定されるものではなく、鉛直方向に平行に設けるようにしても良い。更に、この場合、連結部３４には、図１５に示すように、空間部６とは反対側に突出した凸状の湾曲凸部３９を有するようにしても良い。従って、スタンド３０は、例えば、連結部３４の直ぐ後方に壁等の配置物１２０が配置されていても、湾曲凸部３９よりも鉛直方向の上側（天部３側）において連結部３４と配置物１２０との間に隙間が形成される。よって、スタンド３０は、給液装置１００に内部の熱を排出する排熱口又は排熱部が背面側（天部３の後側面３ｄ側）に形成されている場合であっても、この排熱を逃がし易く給液装置１００を効率良く排熱させることが出来る。
【００６３】
なお、スタンド１，１０，２０，３０は、図２８に示すように、パイプ部材４０を折り曲げて、底部２、天部３及び連結部４，１４，２４，３４を形成するようにしても良い。この際、スタンド１，１０，２０，３０は、天部３に載置された給液装置１００を天部３に溶接して固定するようにしても良く、給液装置１００にＵ字状の取付部材４１を溶接又はネジ止めして天部３に固定するようにしても良い。更に、スタンド１，１０，２０，３０は、天部３に貫通孔５を有する板部材４２を溶接又はＵ字状の取付部材４１で取り付けて、この板部材４２を介して給液装置１００を天部３に載置すると共に固定するようにしても良い。
【００６４】
また、給液装置１００は、流体として、水やミネラルウォータ等を供給するウォータサーバに限定されるものではなく、清涼飲料、飲料水、酒類、醤油、みりん、ドレッシング、味噌などの流体調味料、みそ汁やコーンスープなどの流体料理等を含む飲食料や工業品等の流体、粘性流体、ゲル状体、スラリー状体を供給する装置であっても良い。
【符号の説明】
【００６５】
１  スタンド、２  底部、２ｃ  前側面、２ｄ  後側面、２ｅ  右側面、２ｆ  左側面、３  天部、３ｃ  前側面、３ｄ  後側面、３ｅ  右側面、３ｆ  左側面、４  連結部、５  貫通孔、６  空間部、６ａ  上部空間部、６ｂ  下部空間部、７  ラック部材、７ａ  側面部、７ｂ  天面部、８  ラック部材、８ａ  側面部、８ｂ  天面部、８ｃ  仕切り部、９  湾曲凸部、１０  スタンド、１４  連結部、２０  スタンド、２４  連結部、２４ａ  仕切り面、２４ｂ  上部連結板、２９  湾曲凸部、３０  スタンド、３４  連結部、３４ｃ  仕切り部、３９  湾曲凸部、４０  パイプ部材、４１  取付部材、４２  板部材、１００  給液装置、１００ｂ  底面、１００ｃ  前面、１００ｄ  背面、１０１  嵌合凹部、１０２  ボルト、１０３  ネジ孔、１２０  配置物
【図１】
0006501055.tif 000002
【図２】
0006501055.tif 000003
【図３】
0006501055.tif 000004
【図４】
0006501055.tif 000005
【図５】
0006501055.tif 000006
【図６】
0006501055.tif 000007
【図７】
0006501055.tif 000008
【図８】
0006501055.tif 000009
【図９】
0006501055.tif 000010
【図１０】
0006501055.tif 000011
【図１１】
0006501055.tif 000012
【図１２】
0006501055.tif 000013
【図１３】
0006501055.tif 000014
【図１４】
0006501055.tif 000015
【図１５】
0006501055.tif 000016
【図１６】
0006501055.tif 000017
【図１７】
0006501055.tif 000018
【図１８】
0006501055.tif 000019
【図１９】
0006501055.tif 000020
【図２０】
0006501055.tif 000021
【図２１】
0006501055.tif 000022
【図２２】
0006501055.tif 000023
【図２３】
0006501055.tif 000024
【図２４】
0006501055.tif 000025
【図２５】
0006501055.tif 000026
【図２６】
0006501055.tif 000027
【図２７】
0006501055.tif 000028
【図２８】
0006501055.tif 000029